(57)【要約】【課題】  正常な着火であるにも係らず、着火を検知できずに運転を停止して、使用者に不必要な修理等のサービスを負わせるおそれのない室内開放型燃焼機の提供を目的としている。【解決手段】  バーナ１と、フレームロッド３と、前記バーナ１と前記フレームロッド３との間に直流電圧を印加する電源部４と、炎電流を検出する炎電流検出手段５と、点火動作前に前記炎電流検出手段５からの信号が第一の所定値以上の場合に、前記バーナと前記フレームロッド間が煤等による短絡などの異常が発生していると判断する異常判定手段７と、点火動作開始後、前記炎電流検出手段５からの信号が第二の所定値以上の場合に正常に着火したと判定する着火判定手段８と、点火動作前の炎電流検出手段５からの炎電流値に応じて着火判定手段８の判定レベルを変える判定レベル変更手段９とを備えている。【選択図】          図１
2005257167.tif 000002
【特許請求の範囲】
【請求項１】
バーナと、バーナの燃焼火炎に挿入されたフレームロッドと、前記バーナと前記フレームロッドとの間に直流電圧を印加する電源部と、前記バーナと前記フレームロッド間を流れる炎電流を検出する炎電流検出手段と、火炎の形成されていない点火動作前に前記炎電流検出手段からの信号が第一の所定値以上の場合に、前記バーナと前記フレームロッド間が煤等による短絡などの異常が発生していると判断する異常判定手段と、点火動作開始後この炎電流検出手段からの信号が第二の所定値以上の場合に正常に着火したと判定する着火判定手段と、点火動作前の炎電流検出手段からの炎電流値に応じて着火判定手段の判定レベルを変える判定レベル変更手段とを備えたことを特徴とする室内開放型燃焼機の制御装置。
【請求項２】
燃焼中に前記炎電流検出手段からの信号が第三の所定値以下の場合に異常火炎であると判断し燃焼を停止する失火判定手段とを備え、前記判定レベル変更手段は、点火動作前の炎電流検出手段からの炎電流値に応じて着火判定手段の判定レベルを変えると共に、燃焼中の失火判定レベルも変えることを特徴とする請求項１記載の室内開放型燃焼機の制御装置。
【発明の詳細な説明】
【技術分野】
【０００１】
本発明は、石油ファンヒーター、及びガスファンヒーター等の室内開放型燃焼機の制御装置に関するものである。
【背景技術】
【０００２】
従来、この種の室内開放型燃焼機においては、燃焼火炎の有無を検知する炎検知回路において、フレームロッドとバーナが短絡した場合や回路を構成する部品からの漏れ電流が炎検知用抵抗に流れ込んだ場合などの異常が生じた場合、正確な炎電流の検出ができなくなる。そのため、制御装置はこの異常を検出して警報を行ったり、運転を停止する等を行っていた。（例えば、特許文献１参照）
【０００３】
【特許文献１】特開平７−２６０１３８号公報（第２頁、図１−４）
【発明の開示】
【発明が解決しようとする課題】
【０００４】
上記従来の方法では、短絡等の異常と判断されない程度の電流（例えば、１．５μＡ）が流れている場合、点火時の火炎がひどい赤火などの正常でない状態（例えば、３μＡ）であっても、両者を合せた電流値（例えば、４．５μＡ）が着火判定値（例えば、４μＡ）を超えてしまい、正常に着火したと判断、燃焼を開始してしまうという、安全面での問題点があった。
そこで、着火判定値は両者を加味した所定値（例えば、６μＡ）により対応していたが、この方法でも、着火判定値は一定である為、短絡等の異常が無い場合（例えば、漏れ電流が０μＡ）には、正常な着火であるにも係らず、正常な着火を検知できずに運転を停止することになり、使用者に不必要な修理等のサービスを負わせる等の問題点があった。
本発明は、上記のような問題点を解決するもので、正常な着火であるにも係らず、着火を検知できずに運転を停止して、使用者に不必要な修理等のサービスを負わせるおそれのない室内開放型燃焼機の制御装置の提供を目的としている。
【課題を解決するための手段】
【０００５】
本発明に係る室内開放型燃焼機の制御装置は、バーナと、バーナの燃焼火炎に挿入されたフレームロッドと、前記バーナと前記フレームロッドとの間に直流電圧を印加する電源部と、前記バーナと前記フレームロッド間を流れる炎電流を検出する炎電流検出手段と、火炎の形成されていない点火動作前に前記炎電流検出手段からの信号が第一の所定値以上の場合に、前記バーナと前記フレームロッド間が煤等による短絡などの異常が発生していると判断する異常判定手段と、点火動作開始後この炎電流検出手段からの信号が第二の所定値以上の場合に正常に着火したと判定する着火判定手段と、点火動作前の炎電流検出手段からの炎電流値に応じて、着火判定手段の判定レベルを変える判定レベル変更手段とを備えるようにしたものである。
【発明の効果】
【０００６】
本発明の室内開放型燃焼機の制御装置においては、点火動作前の炎電流検出手段からの炎電流値に応じて着火判定手段の判定レベルを変える判定レベル変更手段を備えているので、正常な着火であるにも係らず、着火を検知できずに運転を停止してしまうことがなくなり、使用者に不必要な修理等のサービスを負わせるおそれがなくなる。
【発明を実施するための最良の形態】
【０００７】
実施の形態１．
以下、本発明の実施の形態１を図に基づいて説明する。
図１は本発明の実施の形態１を示す室内開放型燃焼機の制御装置のブロック図である。
図１において、バーナ１は燃料と燃焼用空気とが所定の比率で混合された混合気が供給され、燃焼火炎２を形成して燃焼させる。フレームロッド３はこの燃焼火炎２中に挿入されるようにして設置される。バーナ１とフレームロッド３との間に直流電圧を印加する電源部４はその正極がバーナ１に、また、負極がフレームロッド３に接続されている。炎電流検出手段５はバーナ１とフレームロッド３間を流れる炎電流を検出する。炎電流検出手段５を構成する抵抗６は炎電流が流れた際に、この抵抗６の両端に電圧が生じる。
異常判定手段７は燃焼火炎２の形成されていない点火動作前に前記炎電流検出手段５からの信号が第一の所定値以上の場合に、前記バーナ１と前記フレームロッド３間が煤等による短絡などの異常が発生していると判断する。着火判定手段８は点火動作開始後にこの炎電流検出手段５からの信号が第二の所定値以上の場合に正常に着火したと判定する。
判定レベル変更手段９は点火動作前の炎電流検出手段５からの炎電流値に応じて前記着火判定手段８の判定レベルを変える。制御部１０はマイクロコンピュータ（図示せず）等で構成されており、予め記憶されたプログラムに従って室内開放型燃焼機全体の制御を行うものである。
【０００８】
図２は本発明の実施の形態１の室内開放型燃焼機の制御装置の動作を示すフローチャートである。
図２において、使用者が燃焼機の操作部（図示せず）に配置された運転スイッチ（図示せず）を「入」にする（ステップ２０）と、フレームロッド３とバーナ１間に電圧（例えば、２４Ｖ）が生じているものの、点火前なので、燃焼火炎２は形成されておらず、通常は炎電流が流れない。しかし、異常燃焼などにより発生した煤がバーナ１とフレームロッド３間に付着していたりすると、燃焼火炎２が形成されていなくても、電流が流れたり、制御部９を構成する部品などからの漏れ電流が炎電流検出手段５に流れ込んできた場合、正確な炎電流検出ができなくなる為、炎電流検出手段５からの信号が第一の所定値Ａ（例えば、２μＡ）以上かどうかの判定を行う（ステップ２１）。このとき、第一の所定値Ａを超えた場合は、短絡及び部品からの漏れ電流不良である為、表示器（図示せず）に短絡等の異常である旨の表示をし（ステップ２２）、消火（運転停止）処理をすることになる（ステップ２３）。
【０００９】
一方、炎電流検出手段５からの信号が第一の所定値Ａ（例えば、２μＡ）未満の場合は、更に第一の所定値Ｂ（例えば、１μＡ）以上かどうかの判定を行い（ステップ２４）、第一の所定値Ｂ（例えば、１μＡ）未満の場合は、マイクロコンピュータ（図示せず）のメモリに割り付けられたフラグをクリア（“０”を記憶）し（ステップ２５）、１μＡ以上の場合には、このフラグをセット（“１”を記憶）する（ステップ２６）。その後、燃料と燃焼用空気をバーナ１に供給、点火器（図示せず）等により点火動作を行う（ステップ２７）。
【００１０】
図３は本発明の実施の形態１における炎電流値の異常判定レベルと着火判定レベルとの関係を示す図である。
図３に示したように、先に記憶したフラグがクリア（“０”を記憶）状態の場合には、炎電流検出手段５からの信号が第二の所定値Ｃ（例えば、５μＡ）以上かどうかの判定を行い（ステップ２９）、フラグがセット（“１”を記憶）状態の場合には、同様に第二の所定値Ｄ（例えば、６μＡ）以上かどうかの判定を行う（ステップ３０）。
【００１１】
正常に着火した場合は、燃焼動作を継続する（ステップ３１）。一方、着火できなかった場合や、異常燃焼している場合には、炎電流が少ない為、所定時間ｔ（例えば１５秒）が経過するまで点火動作を継続し（ステップ３２）、所定時間が経過しても着火検知できない場合には、表示器（図示せず）に異常である旨の表示をし（ステップ３３）、運転停止することになる（ステップ２３）。
【００１２】
以上のように、上記実施の形態１の構成によれば、正常な着火であるにも係らず、着火を検知できずに運転を停止してしまうという不具合がなくなり、使用者に不必要な修理等のサービスを負わせることがなくなる。
【００１３】
また、ここでは、第一の所定値と第二の所定値の関係を２段階としているが、当然複数段での制御を行っても良い。更に、所定値２．０μＡ以上で短絡異常で運転を停止させるのでは無く、点火前の短絡電流に応じて着火検知レベルを大きくすることで対応しても良い。
【００１４】
実施の形態２．
図４は本発明の実施の形態２を示す室内開放型燃焼機の制御装置の制御部のブロック図である。
図４において、失火判定手段１１は燃焼中に前記炎電流検出手段５からの信号が第三の所定値以下の場合に異常火炎（失火）であると判断し、燃焼を停止するものである。
【００１５】
図５は本発明の実施形態２を示す室内開放型燃焼機の制御装置の動作を示すフローチャートである。
図５において、点火動作後に着火判定をした後（ステップ２９及び３０）、先に記憶したフラグがクリア（“０”を記憶）状態の場合には、炎電流検出手段５からの信号が第三の所定値Ｅ（例えば、５μＡ）以上かどうかの判定を行い（ステップ３５）、フラグがセット（“１”を記憶）状態の場合には、同様に第三の所定値Ｆ（例えば、６μＡ）以上かどうかの判定を行う（ステップ３６）。
【００１６】
正常な火炎である場合は、燃焼動作を継続する（ステップ３１）が、燃焼用空気取入口（図示せず）への埃付着による給気不足、気化器（図示せず）へのタール付着や、燃料ポンプ（図示せず）手段の不具合による燃料過多等により異常燃焼している場合には、表示器（図示せず）に異常である旨の表示をし（ステップ３７）、運転停止することになる（ステップ２３）。
【００１７】
以上のように、上記実施の形態２のように構成しても、正常な火炎であるにも係らず、失火を検知して運転を停止すると言う不具合がなくなり、使用者に不必要な修理等のサービスを負わせることがなくなる。
【００１８】
なお、ここでは、点火前の短絡電流に応じて失火検知レベルを変えているが、燃焼中に検出した短絡電流値に応じて失火検知レベルを変化させても良い。
【図面の簡単な説明】
【００１９】
【図１】本発明の実施の形態１を示す室内開放型燃焼機の制御装置のブロック図である。
【図２】本発明の実施の形態１に示す室内開放型燃焼機の制御装置の動作を示すフローチャートである。
【図３】本発明の実施の形態１における点火動作前の炎電流値と異常判定レベルと着火判定レベルとの関係を示す説明図である。
【図４】本発明の実施の形態２を示す室内開放型燃焼機の制御装置を構成する制御部のブロック図である。
【図５】本発明の実施の形態２に示す室内開放型燃焼機の制御装置の動作を示すフローチャートである。
【符号の説明】
【００２０】
１    バーナ
２    燃焼火炎
３    フレームロッド
４    電源部
５    炎電流検出手段
６    抵抗
７    異常判定手段
８    着火判定手段
９    判定レベル変更手段
１０    制御部
１１    失火判定手段
【図１】
2005257167.tif 000003
【図２】
2005257167.tif 000004
【図３】
2005257167.tif 000005
【図４】
2005257167.tif 000006
【図５】
2005257167.tif 000007